(57)【要約】【課題】自動調理を行うための操作が簡単で使いやすく、かつ、ガス調理器本体の小型化および簡素化が可能なガス調理器を提供する。【解決手段】ガス調理器本体と、ガス調理器本体に配設されたガスバーナと、ガスバーナの点消火を行う加熱／停止手動操作部と、ガスバーナによる加熱を制御するとともに、ガスバーナによる調理の終了時に前記ガスバーナによる加熱を停止する自動調理を実行する制御部と、自動調理における調理条件を設定し、表示する調理設定部とを備えたガス調理器において、制御部との間で通信データの送受信を行う無線通信を行うリモコンを備えるとともに、リモコンが、調理条件の少なくとも一部を設定し、表示するように構成する。  リモコンに、自動調理終了信号を受信したときに、自動調理が終了した旨の報知を行う報知部を設ける。【特許請求の範囲】
【請求項１】
ガス調理器本体と、
前記ガス調理器本体に配設された、調理物を加熱するガスバーナと、
前記ガスバーナの点消火を行う加熱／停止手動操作部と、
前記ガスバーナによる加熱を制御するとともに、前記ガスバーナによる調理の終了時に前記ガスバーナによる加熱を停止する自動調理を実行する制御部と、
前記自動調理における調理条件を設定し、表示する調理設定表示部と
を備えたガス調理器であって、
前記制御部との間で通信データの送受信のための無線通信を行うリモコンを備え、
前記リモコンが、前記調理条件の少なくとも一部を設定し、表示するように構成されていること
を特徴とするガス調理器。
【請求項２】
前記自動調理が終了した時点で、前記制御部が前記リモコンに対し、前記無線通信によって、前記通信データとして自動調理終了信号を送信するように構成され、
前記リモコンが、前記自動調理終了信号を受信したときに前記自動調理が終了した旨の報知を行う報知部を備えていること
を特徴とする請求項１記載のガス調理器。
【請求項３】
該ガス調理器が複数存在している場合において、複数のガス調理器のそれぞれに異なるＩＤコードが設定されており、
前記リモコンが、前記無線通信において、前記通信データに前記ＩＤコードを含めて前記無線通信により前記制御部への送信を行うように構成され、
前記制御部が、受信した前記通信データの中に前記ＩＤコードが含まれるとき、前記通信データを当該制御部に対応するリモコンからの通信データとして受信するとともに、
前記制御部が、前記無線通信において、前記通信データに前記ＩＤコードを含めて前記無線通信により前記リモコンへの送信を行うように構成されており、
前記リモコンが、受信した前記通信データの中に前記ＩＤコードが含まれるとき、前記通信データを当該リモコンに対応するガス調理器の制御部からの通信データとして受信するように構成されていること
を特徴とする請求項１または２記載のガス調理器。
【請求項４】
前記ガス調理器本体がＩＤコード転送手段を備えているとともに、前記ＩＤコードが前記制御部に格納されており、
前記制御部が、前記ＩＤコード転送手段によって、前記ＩＤコードを前記リモコンに転送するように構成されていること
を特徴とする請求項３記載のガス調理器。
【請求項５】
前記ガス調理器本体が、交番磁界を発生させる交番磁界発生部を備え、
前記リモコンが、電源としてのバッテリーと、前記交番磁界によって発生した交流電圧を直流電圧に変換して直流電圧を発生させる直流電圧発生部とを備え、
前記バッテリーが、前記直流電圧発生部で発生した直流電圧によって充電され、かつ、
前記交番磁界発生部に重畳された前記ＩＤコードが、前記交流電圧に重畳される形態で前記リモコンに転送されるように構成されていること
を特徴とする請求項４記載のガス調理器。
【請求項６】
前記ガス調理器本体に対して所定の操作を行ったときに、前記リモコンが音による報知を行うように構成されていることを特徴とする請求項１〜５のいずれかに記載のガス調理器。
【発明の詳細な説明】
【技術分野】
【０００１】
本発明は、ガス調理器に関し、詳しくはバーナにおいて燃料であるガスを燃焼させて食材を加熱するように構成されたガス調理器に関する。
【背景技術】
【０００２】
ガス調理器には、調理時間を設定することができるように構成されたものがある。
【０００３】
そして、特許文献１には、そのようなガス調理器として、複数のコンロ部に、それぞれ点火・消火を手動操作で行うための点火・消火操作部を設けるとともに、複数のコンロ部のうちの一のコンロ部で自動調理を行うための調理設定部を一つ設けたガスコンロであって、所定の操作を行うことで自動調理を行う一のコンロ部を選択して設定する選択モードに移行し、選択モード中に所定の操作を行うことで一のコンロ部を選択して設定し、設定した後はこの選択した一のコンロ部でのみ自動調理を行うことを可能にしたガス調理器（ガスコンロ）が提案されている。
【０００４】
このガス調理器（ガスコンロ）の場合、ガス調理器に一つの調理設定部を設けるだけで、複数のコンロ部のうち意図する一のコンロ部において自動調理を行うことが可能になり、ガス調理器本体の小型化および簡素化が図ることができて有意義である。
【先行技術文献】
【特許文献】
【０００５】
【特許文献１】特開２００９−２４３７６３号公報
【発明の概要】
【発明が解決しようとする課題】
【０００６】
しかしながら、特許文献１に記載のガス調理器（ガスコンロ）は、自動調理を行うために複雑な操作を行うことが必要で、使用者によっては、自動調理を行うことが操作上の困難になる場合がある。
【０００７】
本発明は、上記課題を解決するものであり、自動調理を行うための操作が簡単で使いやすく、かつ、ガス調理器本体の小型化および簡素化が可能なガス調理器を提供することを目的とする。
【課題を解決するための手段】
【０００８】
上記の目的を達成するために、本発明のガス調理器は、
ガス調理器本体と、
前記ガス調理器本体に配設された、調理物を加熱するガスバーナと、
前記ガスバーナの点消火を行う加熱／停止手動操作部と、
前記ガスバーナによる加熱を制御するとともに、前記ガスバーナによる調理の終了時に前記ガスバーナによる加熱を停止する自動調理を実行する制御部と、
前記自動調理における調理条件を設定し、表示する調理設定表示部と
を備えたガス調理器であって、
前記制御部との間で通信データの送受信のための無線通信を行うリモコンを備え、
前記リモコンが、前記調理条件の少なくとも一部を設定し、表示するように構成されていること
を特徴としている。
【０００９】
本発明のガス調理器においては、
前記自動調理が終了した時点で、前記制御部が前記リモコンに対し、前記無線通信によって、前記通信データとして自動調理終了信号を送信するように構成され、
前記リモコンが、前記自動調理終了信号を受信したときに前記自動調理が終了した旨の報知を行う報知部を備えていること
が好ましい。
【００１０】
また、該ガス調理器が複数存在している場合において、複数のガス調理器のそれぞれに異なるＩＤコードが設定されており、
前記リモコンが、前記無線通信において、前記通信データに前記ＩＤコードを含めて前記無線通信により前記制御部への送信を行うように構成され、
前記制御部が、受信した前記通信データの中に前記ＩＤコードが含まれるとき、前記通信データを当該制御部に対応するリモコンからの通信データとして受信するとともに、
前記制御部が、前記無線通信において、前記通信データに前記ＩＤコードを含めて前記無線通信により前記リモコンへの送信を行うように構成されており、
前記リモコンが、受信した前記通信データの中に前記ＩＤコードが含まれるとき、前記通信データを当該リモコンに対応するガス調理器の制御部からの通信データとして受信するように構成されていること
が好ましい。
【００１１】
また、前記ガス調理器本体がＩＤコード転送手段を備えているとともに、前記ＩＤコードが前記制御部に格納されており、
前記制御部が、前記ＩＤコード転送手段によって、前記ＩＤコードを前記リモコンに転送するように構成されていること
が好ましい。
【００１２】
また、前記ガス調理器本体が、交番磁界を発生させる交番磁界発生部を備え、
前記リモコンが、電源としてのバッテリーと、前記交番磁界によって発生した交流電圧を直流電圧に変換して直流電圧を発生させる直流電圧発生部とを備え、
前記バッテリーが、前記直流電圧発生部で発生した直流電圧によって充電され、かつ、
前記交番磁界発生部に重畳された前記ＩＤコードが、前記交流電圧に重畳される形態で前記リモコンに転送されるように構成されていること
が好ましい。
【００１３】
また、前記ガス調理器本体に対して所定の操作を行ったときに、前記リモコンが音による報知を行うように構成されていることが好ましい。
【発明の効果】
【００１４】
本発明のガス調理器は、上述のように構成されており、制御部との間で通信データの送受信を行う無線通信を行うリモコンを備えているとともに、リモコンが、調理条件の少なくとも一部を設定し、表示するように構成されているので、ガス調理器本体の小型化および簡素化が可能で、しかも、自動調理を行うための操作が簡単で使いやすいガス調理器を提供することができる。
【００１５】
つまり、ガス調理器本体が備える調理設定部を小型化しても、リモコンの設定・表示部を大きくして対応することが可能で、ガスバーナによる自動調理を行うための操作を容易にすることができる。その結果、ガス調理器本体の小型化および簡素化を図ることが可能になるとともに、自動調理を行うための操作が容易で使いやすいガス調理器を提供することが可能になる。
【００１６】
また、自動調理が終了した時点で、制御部がリモコンに対し通信データとして自動調理終了信号を送信するように構成するとともに、リモコンが、自動調理終了信号を受信したときに自動調理が終了した旨の報知を行う報知部を備えた構成とした場合、使用者がガス調理器から離れた場所にいる場合にも、自動調理が終了したことを確実に知ることが可能で、より使い勝手の良好なガス調理器を提供することができる。
【００１７】
また、ガス調理器が複数存在している場合において、複数のガス調理器のそれぞれに異なるＩＤコードが設定されており、リモコンが、無線通信において、通信データにＩＤコードを含めて無線通信により制御部への送信を行い、制御部が、受信した通信データの中にＩＤコードが含まれるとき、通信データを当該制御部に対応するリモコンからの通信データとして受信するとともに、制御部が、無線通信において、通信データにＩＤコードを含めて無線通信によりリモコンへの送信を行うように構成し、リモコンが、受信した通信データの中にＩＤコードが含まれるとき、通信データを当該リモコンに対応するガス調理器の制御部からの通信データとして受信するように構成した場合、複数のガス調理器が設置された場合にも、制御部とリモコンとが、互いに対応する制御部やリモコン同士以外の制御部とリモコンとの間で送受信される通信データによって誤動作することが防止できる。
【００１８】
また、ガス調理器本体がＩＤコード転送手段を備え、ＩＤコードが制御部に格納され、制御部が、ＩＤコード転送手段によって、ＩＤコードをリモコンに転送するように構成した場合、メンテナンスなどにより、制御部またはリモコンを取り換える必要が生じたときに、制御部とリモコンを同じＩＤコードによって対応付けることが可能になり、有意義である。
【００１９】
また、ガス調理器本体が、交番磁界を発生させる交番磁界発生部を備え、リモコンが、電源としてのバッテリーと、交番磁界によって発生した交流電圧を直流電圧に変換して直流電圧を発生させる直流電圧発生部とを備え、バッテリーが、直流電圧発生部で発生した直流電圧により充電することができるように構成するとともに、交番磁界発生部に重畳されたＩＤコードが、交流電圧に重畳される形態でリモコンに転送されるように構成した場合、リモコンの電源となるバッテリーを充電するときや、制御部からリモコンにＩＤコードを転送するときに、電線による制御部とリモコンとの接続が不要であることから、接続不良や接点の接触不良などを引き起こすことがなく、信頼性が高く、使い勝手の良好なガス調理器を提供することができる。
【００２０】
また、ガス調理器本体に対して所定の操作を行ったときに、リモコンが音による報知を行うように構成した場合、リモコンをどこかに置き忘れたような場合などに、リモコンの音による報知によってリモコンの存在場所が判明するので、使い勝手の良好なガス調理器を提供することができる。
【図面の簡単な説明】
【００２１】
【図１】本発明の一実施形態にかかるガス調理器（ガスコンロ）本体の全体構成を示す斜視図である。
【図２Ａ】本発明の一実施形態にかかるガス調理器本体の、コンロ部の調理設定部を示す正面図である。
【図２Ｂ】本発明の一実施形態にかかるガス調理器本体の、グリル部の調理設定部を示す正面図である。
【図３Ａ】本発明の一実施形態にかかるガス調理器本体のコンロバーナ（ガスバーナ）およびグリルバーナ（ガスバーナ）へのガス供給を説明する図である。
【図３Ｂ】本発明の一実施形態にかかるガスコンロのガス弁ブロックを示す概略断面図である。
【図３Ｃ】本発明の一実施形態にかかるガスコンロのコンロバーナの断面図である。
【図４Ａ】本発明の一実施形態にかかる、コンロ用リモコンを示す図であって、（ａ）は正面図、（ｂ）は切欠き側面図である。
【図４Ｂ】本発明の一実施形態にかかる、グリル用リモコンを示す図であって、（ａ）は正面図、（ｂ）は切欠き側面図である。
【図５】本発明の一実施形態にかかる、コンロ用リモコンホルダ付近、グリル用リモコンホルダ付近の切欠き正面図である。
【図６】本発明の一実施形態にかかるガス調理器のコンロ用リモコンホルダにコンロ用リモコンを、グリル用リモコンホルダにグリル用リモコンを装着した状態の切欠き正面図である。
【図７】本発明の別実施形態にかかるガス調理器のコンロ用リモコンホルダにコンロ用リモコンを、グリル用リモコンホルダにグリル用リモコンを装着した状態の切欠き正面図である。
【発明を実施するための形態】
【００２２】
以下、本発明の実施形態を示して、その特徴とするところをさらに詳しく説明する。
【００２３】
［実施形態］
以下、本発明の一実施形態にかかるガス調理器について、添付図面を参照しつつ説明を行う。なお、この実施形態にかかるガス調理器は、コンロ部とグリル部を備えたビルトイン型のガスコンロである。
【００２４】
＜ガスコンロの基本構成＞
図１に示すように、この実施形態にかかるガス調理器（ガスコンロ）１は、ガス調理器本体Ｈと、その天面部を構成するトッププレート１１に複数の加熱部２が設けられている。この実施形態では図１に示すように、向かって左側および右側に加熱部２として高火力のコンロバーナ（ガスバーナ）３１を備えたコンロ部２ａが設けられている。トッププレート１１の上面には各コンロバーナ３１を中心にして五徳２１が設けられており、コンロバーナ３１と五徳２１と、点火装置２３および点火検知装置２４（図３Ａ、図３Ｃ参照）とにより、加熱部２としてのコンロ部２ａが構成されている。
【００２５】
なお、点火装置２３は、入力回路（高圧トランスの１次側巻き線を含む）が一つに対して出力回路（高圧トランスの２次側巻き線）が各バーナの数だけ備えられ、一つの入力回路への通電により各々の前記出力回路（高圧トランスの２次側巻き線）に高電圧が発生し、各バーナの全てに点火用放電のための高電圧が供給される。
【００２６】
各コンロ部２ａには、図３Ｃに示すように、五徳２１上に載置される調理容器を検知する容器検知手段２５と、調理容器の下面の温度を検知する温度センサ２６とが設けられている。
容器検知手段２５は、ガス調理器本体Ｈに固定される支持部２５ａと、支持部２５ａに上下方向に移動自在に支持される可動部２５ｂと、可動部２５ｂの上下位置を検知する検知スイッチ２５ｃとにより構成されている。
【００２７】
可動部２５ｂはばね等の付勢手段（図示せず）により上方に付勢され、その上端部は五徳２１よりも上方に突出するように構成されている。この状態で五徳２１上に調理容器が載置されると、可動部２５ｂの上端部が調理容器の下面に押し下げられ、可動部２５ｂの下動に伴い検知スイッチ２５ｃにより下動が検知され、後述する制御部１００に認識される。そして、可動部２５ｂの上端部には温度センサ２６が設けられており、調理容器が五徳２１上に載置されたときに温度センサ２６が調理容器の下面に当接して温度を検知し、検知された温度は制御部１００に認識されるように構成されている。
【００２８】
また、ガス調理器本体Ｈには、図１に示すように、加熱部２としてのグリル部２ｂが設けられている。グリル部２ｂは、ガス調理器本体Ｈ内の中央部に形成されるグリル庫と、グリル庫内に設けられる加熱手段としてのグリルバーナ（図示せず）と、点火装置２３および点火検知装置２４とで構成され、グリル部２ｂの前端はガス調理器本体Ｈの前面部１２に開口していてグリル扉２８によって開閉自在に閉塞されるように構成されている。
【００２９】
点火検知装置２４は、コンロバーナ３１およびグリルバーナに設けられる熱電対から構成されており、点火されると火炎の熱により発生する熱起電力が制御部１００に認識される。
【００３０】
グリル扉２８の両側には、図１に示すように、グリル扉２８とともにガス調理器本体Ｈの前面部１２を構成する前面パネルＰ１、Ｐ２が設けられており、左側の前面パネルＰ１の上側には、左側のコンロバーナ３１を点火／消火するための点消火ボタン１４ａが設けられている。また、右側の前面パネルＰ２の上側の左側より、グリルバーナを点火／消火するための点消火ボタン１４ｂ、右側のコンロバーナ３１を点火／消火するための点消火ボタン１４ｃが設けられている。そして、これら点消火ボタン１４（１４ａ、１４ｂ、１４ｃ）が、加熱部２での加熱の開始／加熱の停止を手動で行うための加熱／停止手動操作部を構成している。
また前面部１２には、各加熱部２の加熱量を手動で調節するための加熱量手動操作部となる火力調節レバー１５（１５ａ、１５ｂ、１５ｃ）が、それぞれ各点消火ボタン１４ａ、１４ｂ、１４ｃの上に設けられている。
【００３１】
ガス弁ブロック６は、図３Ｂに示すように、器具栓本体６０に、内部のガス流路６１と、ガス流路６１の上流端となる導入口６１ａおよび下流端となる導出口６１ｂとが設けられている。
【００３２】
内部のガス流路６１には、上流側より安全弁６２用の弁孔、メイン弁６３用の弁孔が設けられている。メイン弁６３用の弁孔の下流側は、大火用の流路６１ｃと小火用の流路６１ｄとが並列に設けられており、大火用の流路６１ｃに大火力／小火力切替用のラッチ式電磁弁ＬＢ１用の弁孔が設けられており、小火用の流路６１ｄにラッチ式電磁弁ＬＢ２用の弁孔が設けられている。
ラッチ式電磁弁ＬＢ１の弁孔の下流側と、ラッチ式電磁弁ＬＢ２の下流側に位置する小火用オリフィスｏｆ２の下流側で大火用の流路６１ｃと小火用の流路６１ｄとが合流するように構成されており、さらにその下流側には、火力調節レバー１５と連動する流量制御弁６５用の弁孔が設けられている。
【００３３】
因みに、上述した容器検知手段２５により調理容器が検知されていないときに点消火ボタン１４を操作した場合には、制御部１００によりラッチ式電磁弁ＬＢ１およびラッチ式電磁弁ＬＢ２が閉止されて、加熱を開始しないようにする容器検知制御が行われる。これにより、五徳２１上に調理容器が載置されていない場合にはコンロバーナ３１に炎が形成されないようにすることができる。
【００３４】
また、ガス流路６１には、前記ラッチ式電磁弁ＬＢ１およびラッチ式電磁弁ＬＢ２を設けた部分をバイパスするバイパス流路ＢＰが設けられており、このバイパス流路ＢＰにバイパス用オリフィスｏｆ１が設けられている。バイパス用オリフィスｏｆ１は、ガス弁ブロック６を複数器種で共用するために設けられるもので、ガス弁ブロック６を他の機種への応用において使用するときには開口される場合があるが、この実施形態においては、バイパス用オリフィスｏｆ１は閉塞体（図示せず）により閉塞されている。
【００３５】
火力調節レバー１５を中火から大火の間の位置に設定しておいたときに、コンロバーナ３１の火力は、ラッチ式電磁弁ＬＢ１とラッチ式電磁弁ＬＢ２の開・閉の組み合わせに応じて、制御部１００により、表１に示されているような態様で調整制御される。
【００３６】
【表１】
2018185058.tif 000002
【００３７】
なお、ラッチ式電磁弁ＬＢ１、ＬＢ２は、開弁用の極性のパルス電流の通電により開放状態に移行し、その後は通電を停止した後にも開放状態を維持し、閉弁用の極性（開弁用とは逆極性）のパルス電流の通電により閉止状態に移行し、その後は通電を停止した後にも閉止状態を維持する。このとき電流のパルス幅は２００〜３００ｍ秒に設定されており、コンロの火力を種々の状態に維持する場合にも省電力であることから、機器の電源として乾電池が用いられる場合に特に好適に用いられる。
【００３８】
流量制御弁６５用の弁孔の下流側は、コンロバーナ３１にガスを供給するための導出口６１ｂに至る。器具栓本体６０には、スライダ６６が前後方向に移動自在に取り付けてあり、スライダ６６は前端面が点消火ボタン１４に組み込まれたチャイルドロック用スライド部（図示せず）により後方に押圧されることで後退するように構成されている。
【００３９】
チャイルドロック用スライド部が内部に組み込まれた点消火ボタン１４は、前後動自在に設けられるもので、前記点消火ボタン１４の指で押される部分よりも上側の部分がコンロ本体側に枢支されて指で押される部分が前後動し、スライダ６６の前端面を後方に押圧する。スライダ６６には、例えば既存のハート型カム等からなる前位置と後位置の切替機構（図示せず）が設けられており、前記点消火ボタン１４を押し操作する毎に、スライダ６６が後位置から前進して前位置に位置したり、前位置から後退して後位置に位置したりして、前位置と後位置とが切り替わって保持されるように構成されている。
【００４０】
また、スライダ６６の進退に伴って進退するバルブロッド６７が設けられている。バルブロッド６７の先端側はガス流路６１内に挿入され、その先端部は後方すなわち下流側より上流側に向けて、メイン弁６３用の弁孔と安全弁６２用の弁孔とに挿通されている。
【００４１】
バルブロッド６７は、スライダ６６が前位置から後位置に切り替わる際、一旦後位置よりも後方の最後位置に後退してから後位置にまで前進するが、この最後位置に移動したときに、安全弁６２用の弁孔を上流側より閉止している安全弁６２の弁体を上流側に移動させて、安全弁６２用の弁孔を開放する。
【００４２】
なお、このような手動点火／消火操作部の構成は周知であるので詳細な説明は省略する。
【００４３】
安全弁６２は電磁弁からなり、弁体が前方すなわち下流側に前進することで安全弁６２用の弁孔を後方より閉止し、弁体が後方すなわち上流側に後退することで安全弁６２用の弁孔を開放する。
【００４４】
安全弁６２は、点火検知装置２４により火炎が検知されている場合にのみ制御部１００により開放状態が維持され、火炎が検知されなくなると制御部１００による開放状態の維持が停止して閉止される。これにより、煮こぼれや風により立ち消えが起こって点火検知装置２４の火炎が検知されなくなった場合に、燃料ガスの流出が防止される。また、温度センサ２６により検知された調理容器の下面の温度が所定の温度（例えば２５０℃）に達すると、空焚きや焦げ付き等の異常が発生していると判定して、安全弁６２を閉止する。このように、安全弁６２、点火検知装置２４、温度センサ２６により異常検知手段が構成されている。
【００４５】
バルブロッド６７の途中には、メイン弁６３用の弁孔を開閉するメイン弁体が設けられている。そして、スライダ６６が前位置に位置しているときにはメイン弁体がメイン弁６３用の弁孔を後方より閉止し、スライダ６６が後位置に位置しているときにはメイン弁体がメイン弁６３用の弁孔より後方に位置してメイン弁６３用の弁孔を開放する。
【００４６】
流量制御弁６５用の弁孔は、火力調整用のニードル６５ａの前後方向の移動により開度が自在に調節される。ニードル６５ａは、火力調節レバー１５を操作することで、開度の調節がなされ、火力調節レバー１５が右に行く程、燃料ガスの供給量が多くなるように調節される。
また、点消火ボタン１４またはスライダ６６の位置によりＯＮ／ＯＦＦが切り替わる器具栓スイッチ（図示せず）が設けられている。器具栓スイッチは、点消火ボタン１４（またはスライダ６６）が前位置に位置しているときにはＯＦＦとなり、後位置（最後位置も含む）に位置しているときにＯＮとなる。
【００４７】
コンロバーナ３１、グリルバーナの点火を行うには、点消火ボタン１４を押し操作して、スライダ６６を前位置から後位置に後退させる。スライダ６６とともに後退したバルブロッド６７により、安全弁６２が開放されるとともにメイン弁６３が開放され、燃料ガスがコンロバーナ３１、グリルバーナに供給される。
また、スライダ６６が後退することにより器具栓スイッチがＯＮとなり、制御部１００への給電がＯＮとなって制御部１００が動作を開始する。
【００４８】
点消火ボタン１４が押し操作されて、加熱が開始されると、火力調節レバー１５を操作することで、所望の火力が得られる。なお、左側のコンロバーナ３１を備えたコンロ部２ａの火力調節レバー１５は、該コンロ部２ａの操作部を操作して点火を行うとき、操作部の操作と連動して火力が中火力側に移動するように構成されており、点火時には中程度の火力となるように構成されている。
【００４９】
スライダ６６を前位置にすると、メイン弁６３が閉止して消火し、器具栓スイッチがＯＦＦになり、安全弁６２が閉止するとともに電源保持信号の出力が停止して制御部１００への給電が終了する。
【００５０】
＜コンロの自動調理＞
次に、この実施形態にかかるガス調理器（ガスコンロ）１の自動調理について説明する。ガス調理器本体Ｈの左側の前面パネルの下側には、図２Ａに示すように、コンロ用の調理設定部７が設けられている。
なお、ガス調理器本体Ｈの右側の前面パネルの右下の左側には、グリル用の調理設定部９３が設けられているが細部については後述する。また、ガス調理器本体Ｈの右側の前面パネルの右下の右側には、マイクロコンピュータからなる制御部１００の電源となる電池が収容される電池ケース１３が設けられている。
【００５１】
コンロ用の調理設定部７は、揚げもの、湯わかし、炊飯の自動調理のメニュー（オートメニュー）を設定するための一組のオートメニュー設定部７１およびオートメニュー表示部７２と、調理時間を設定するためのタイマ入力部７３およびタイマ表示部７４とを備えている。
【００５２】
オートメニュー設定部７１として、揚げものスイッチ７１ａと、湯わかしスイッチ７１ｂと、炊飯スイッチ７１ｃとが設けられている。揚げものモードは、コンロバーナ３１の点火後、使用者により設定された温度に達するようにコンロバーナ３１の火力を自動調節する自動調理モードであり、揚げものスイッチ７１ａは、何回押すかで２００℃、１８０℃、１６０℃といった複数種類の揚げものの調理の中から目的とする温度の揚げもの調理が設定できるとともに、揚げもの表示部７２ａに前記設定が表示されるように構成されている。
【００５３】
また、湯わかしモードや炊飯モードは、コンロバーナ３１の点火後、予め設定された燃焼条件で燃焼させ、湯わかしや炊飯の完了が予測される時点で自動的にコンロバーナ３１を消火する自動調理モードである。
【００５４】
湯わかしスイッチ７１ｂは、何回押すかで自動消火、５分保温といった、湯わかし後にすぐ消火するか、あるいは一定時間保温するかというような湯わかしの態様を選択して設定することができるように構成されているとともに、湯わかし表示部７２ｂに前記設定が表示されるように構成されている。また、炊飯スイッチ７１ｃは、何回押すかでごはん、おかゆといった複数種類の炊飯調理モードの中から目的とする炊飯調理モードを設定することができるように構成されているとともに、炊飯表示部７２ｃに前記設定が表示されるように構成されている。
【００５５】
揚げものモードを選択して、制御部１００によって揚げものモードが実行される場合を一例として、ラッチ式電磁弁ＬＢ１について詳しく説明する。
【００５６】
揚げものスイッチ７１ａを押し操作し、揚げものモードを選択してコンロバーナ３１に点火すると、制御部１００によって揚げものモードが実行され、制御部１００は、温度センサ２６により検出される調理容器の温度を設定された温度（２００℃、１８０℃、１６０℃の何れか）に維持すべく、ラッチ式電磁弁ＬＢ１を開閉し、コンロバーナ３１の火力を大火力と小火力とに切替える。
【００５７】
詳述すると、温度センサ２６により検出される調理容器の温度の値が設定された温度より大きいときは、ラッチ式電磁弁ＬＢ１を閉弁して、図３Ｂに示す小火用オリフィスｏｆ２を備えた小火用流路６１ｄのみからコンロバーナ３１にガスが供給されて、コンロバーナ３１の火力が小火力になり、また、温度センサ２６により検出される調理容器の温度が設定された温度より小さいときはラッチ式電磁弁ＬＢ１を開弁して、小火用オリフィスｏｆ２を備えた小火用流路６１ｄとラッチ式電磁弁ＬＢ１の両方の流路からコンロバーナ３１にガスが供給されて、コンロバーナ３１の火力が大火力になるように構成されている。
【００５８】
上述のように、この実施形態のガス調理器（ガスコンロ）１においては、コンロバーナ３１によって自動調理を行うことが可能で、コンロバーナ３１による自動調理には、制御部１００が自動的にコンロバーナ３１の燃焼を停止する調理モードが含まれている。
【００５９】
＜グリルの自動調理＞
次に、グリルの自動調理について説明する。この実施形態のガス調理器（ガスコンロ）１においては、上述のように、ガス調理器本体Ｈの右側の前面パネルの右下の左側にグリル用の調理設定部９３が設けられている。
【００６０】
また、この実施形態のガス調理器（ガスコンロ）１は、グリル用の調理設定部９３により設定した条件で、グリル部２ｂによる自動調理を行うことができるように構成されており、グリル用の調理設定部９３を用いたグリル部２ｂによる自動調理には、制御部１００が、グリルバーナ（図示せず）の燃焼を停止する調理モードが含まれている。
【００６１】
グリル部２ｂによる調理設定の入力を行うためのグリル用の調理設定部９３は、図２Ｂに示すように、グリル部２ｂによる調理時間（焼成時間）を設定するためのタイマスイッチ（タイマ設定入力部）９３ｂ、上火、下火の火力を切換るための火力切替スイッチ９３ｃ、焼成するメニューを選んで該当する焼成物に対応した焼成制御を選択するためのメニュースイッチ９３ｄ、焼き加減を調整するための焼き加減スイッチ９３ｅ、上記タイマスイッチ（タイマ設定入力部）９３ｂ、火力切替スイッチ９３ｃ、メニュースイッチ９３ｄ、焼き加減スイッチ９３ｅなどを操作して設定した各入力を取り消すための取消しスイッチ９３ｆなどを備えている。
【００６２】
また、グリル用の調理設定部９３は、タイマスイッチ（タイマ設定入力部）９３ｂにより設定された調理時間を表示する表示部１２０を備えている。
【００６３】
なお、この実施形態のガス調理器（ガスコンロ）１において、コンロバーナ３１によって自動調理を行い、制御部１００が、自動的にコンロバーナ３１の燃焼を停止したとき、制御部１００は、点消火ボタン１４ａや点消火ボタン１４ｃを消火位置に戻すように促す報知を行うように構成されている。この報知としては、「ピッピッピッ」というブザーによる報知を５分間隔で繰り返すように構成されている。
【００６４】
また、グリル部２ｂにおいてグリルバーナ（図示せず）によって自動調理を行い、制御部１００が、自動的にグリルバーナの燃焼を停止したとき、制御部１００は、点消火ボタン１４ｂを消火位置に戻すように促す報知を行うように構成されている。この報知も、「ピッピッピッ」というブザーによる報知を５分間隔で繰り返すように構成されている。
【００６５】
＜特徴的構成＞
このガス調理器（ガスコンロ）１は、
（ａ）加熱部２を構成するコンロ部２ａと、グリル部２ｂを備えたガス調理器本体Ｈと、
（ｂ）コンロ部２ａの条件の設定や変更などを行うコンロ用リモコン７Ａ（図４Ａ参照）と、グリル部２ｂの条件の設定や変更などを行うグリル用リモコン７Ｂ（図４Ｂ参照）を備えている。
【００６６】
コンロ用リモコン７Ａは、図４Ａ（ｂ）に示すように、制御部１００との間で後述する通信データの通信を行うためのコンロ用リモコン用無線通信部５０Ｓと、報知部５１を備えている。報知部５１としては、例えば、ブザー音や音声などによって報知を行うもの、ＬＥＤランプなどの光によって報知を行うものなど、種々のものを用いることができる。
【００６７】
また、上述のコンロ用リモコン７Ａは、ガス調理器本体Ｈの制御部１００と無線通信を行い、図２Ａに示すコンロ用の調理設定部７と同様に機能するように構成されている。
【００６８】
すなわち、コンロ用リモコン７Ａは、例えば、
（ａ）温度センサ２６により検出される調理容器の温度を設定された温度（２００℃、１８０℃、１６０℃のいずれか）に維持する、コンロバーナ３１による自動温度制御、
（ｂ）コンロバーナ３１の点火後、予め設定された燃焼条件で燃焼させ、湯わかしや炊飯の完了が予測される時点で自動的にコンロバーナ３１を消火する湯わかしモードや炊飯モード、
（ｃ）タイマ入力部１７３で入力し、設定した設定タイマ時間の燃焼が終了した時点で自動的にコンロバーナ３１を消火するタイマ加熱
など、コンロバーナ３１による自動調理にかかる設定を行う設定部や、コンロバーナ３１による自動調理に係る表示を行う表示部などを備えている。
【００６９】
具体的に説明すると、コンロ用リモコン７Ａは、コンロ用の調理設定部７におけるオートメニュー設定部７１に相当するオートメニュー設定部１７１、オートメニュー表示部７２に相当するオートメニュー表示部１７２、タイマ入力部７３に相当するタイマ入力部１７３、タイマ表示部７４に相当するタイマ表示部１７４などを備えている。
【００７０】
また、上述のオートメニュー設定部１７１として、揚げものスイッチ１７１ａと、湯わかしスイッチ１７１ｂと、炊飯スイッチ１７１ｃとが設けられている。
揚げものモードは、コンロバーナ３１の点火後、使用者により設定された温度に達するようにコンロバーナ３１の火力を自動調節する自動調理モードであり、揚げものスイッチ１７１ａは、何回押すかで２００℃、１８０℃、１６０℃といった複数種類の揚げものの調理の中から目的とする温度の揚げもの調理が設定できるとともに、揚げもの表示部１７２ａに前記設定が表示されるように構成されている。
【００７１】
また、上述のグリル用リモコン７Ｂは、ガス調理器本体Ｈの制御部１００と無線通信を行い、図２Ｂに示すグリル用の調理設定部９３と同様に機能するように構成されている。
【００７２】
このグリル用リモコン７Ｂは、グリル部２ｂによる自動調理に係る設定を行う設定部、および、グリル部２ｂによる自動調理に係る表示を行う表示部を具備している。
【００７３】
具体的には、グリル用リモコン７Ｂには、図４Ｂに示すように、タイマスイッチ（タイマ設定入力部）９３ｂに相当するタイマスイッチ（タイマ設定入力部）１９３ｂ、火力切替スイッチ９３ｃに相当する火力切替スイッチ１９３ｃ、メニュースイッチ９３ｄに相当するメニュースイッチ１９３ｄ、焼き加減スイッチ９３ｅに相当する焼き加減スイッチ１９３ｅ、取消しスイッチ９３ｆに相当する取消しスイッチ１９３ｆなどを備えている。
【００７４】
また、グリル用リモコン７Ｂは、調理時間を表示する表示部１２０に相当する表示部１１２０を備えている。
【００７５】
さらに、グリル用リモコン７Ｂは、図４Ｂ（ｂ）に示すように、制御部１００との間で後述する通信データの通信を行うためのグリル用リモコン用無線通信部１５０Ｓと、報知部１５１を備えている。報知部１５１としては、例えば、ブザー音や音声などによって報知を行うもの、ＬＥＤランプなどの光によって報知を行うものなど、種々のものを用いることができる。
【００７６】
そして、本発明の実施形態にかかるガス調理器（ガスコンロ）１において、コンロ用リモコン７Ａは、自動的にコンロバーナ３１を消火させたときに、コンロ用リモコン７Ａに設けられた報知部５１により、自動的にコンロバーナ３１を消火させた旨の報知を、例えば「ピッピッピッ」というブザー音によって行う。
【００７７】
また、グリル用リモコン７Ｂは、制御部１００が、自動的にグリルバーナの燃焼を停止したとき、グリル用リモコン７Ｂに設けられた報知部１５１により、自動的にコンロバーナ３１を消火させた旨の報知を、例えば「ピッピッピッ」というブザー音によって行う。
なお、上記報知は、ブザー音以外にも、音声や、ＬＥＤランプの光などによって行ってもよい。
【００７８】
コンロ用リモコン７Ａによる、自動的にコンロバーナ３１を消火させた旨の報知の後、使用者は、ガス調理器本体Ｈが備える点消火ボタン１４ａ、点消火ボタン１４ｃを消火位置に戻す操作を行うことになる。
【００７９】
ガス調理器本体Ｈが備える制御部１００は、点消火ボタン１４ａ、点消火ボタン１４ｃの消火位置への戻し操作を検出すると、点消火ボタン１４ａ、点消火ボタン１４ｃを消火位置に戻すように促す報知を終了する。
【００８０】
また、グリル用リモコン７Ｂによる自動的にグリルバーナを消火させた旨の報知の後、使用者は、ガス調理器本体Ｈが備える点消火ボタン１４ｂを消火位置に戻す操作を行うことになる。
【００８１】
ガス調理器本体Ｈが備える制御部１００は、点消火ボタン１４ｂの消火位置への戻し操作を検出して、点消火ボタン１４ｂを消火位置に戻すように促す報知を終了する。
【００８２】
なお、ガス調理器本体Ｈが備える制御部１００とコンロ用リモコン７Ａとの通信は、ガス調理器本体Ｈの無線通信部２００Ｓとコンロ用リモコン７Ａの無線通信部５０Ｓを介して行われ、ガス調理器本体Ｈが備える制御部１００とグリル用リモコン７Ｂとの通信は、ガス調理器本体Ｈの無線通信部２００Ｓとグリル用リモコン７Ｂの無線通信部１５０Ｓを介して行われる。
【００８３】
また、グリル用リモコン７Ｂは、消火スイッチ１９３ａ（図４Ｂ）を備え、使用者が消火スイッチ１９３ａを押し操作することで、グリルバーナを消火させることができるように構成されている。
【００８４】
なお、グリル用リモコン７Ｂが備える消火スイッチ１９３ａによってグリルバーナを消火させた場合、ガス調理器本体Ｈの制御部１００は、点消火ボタン１４ｂを消火位置に戻すように促す報知を行う。なお、この実施形態では、「ピッピッピッ」というブザーによる報知を５分間隔で繰り返すように構成されている。
【００８５】
その後、使用者は、ガス調理器本体Ｈが備える点消火ボタン１４ｂを消火位置に戻す操作を行うことになる。
【００８６】
ガス調理器本体Ｈが備える制御部１００は、点消火ボタン１４ｂの消火位置への戻し操作を検出すると、点消火ボタン１４ｂを消火位置に戻すように促す報知を終了する。
【００８７】
上述のように構成されたガス調理器１は、以下に説明するような作用効果を奏する。
【００８８】
ガス調理器本体Ｈが備える調理設定部７（図２Ａ）を小型化しても、コンロ用リモコン７Ａを大きくすることで、種々の条件を設定することが可能になるため、コンロバーナ３１やグリルバーナによる自動調理を行うための操作を行いやすくすることができる。したがって、ガス調理器本体Ｈの小型化、および、簡素化が可能で、しかも、自動調理を行うための操作が容易で使いやすいガス調理器を提供することができる。
【００８９】
また、使用者がガス調理器本体Ｈから離れた場所にいる場合にも、使用者が、自動調理が終了した際の報知（加熱／停止手動操作部１４を消火位置に戻すことを促す報知）に気付きやすいため、無駄な報知を継続することのないガス調理器を提供することが可能になる。
【００９０】
また、この実施形態では、製造される複数のガス調理器本体Ｈに対して、それぞれ異なるＩＤコードが設定されており、複数のガス調理器本体Ｈのそれぞれに対応するコンロ用リモコン７Ａ、グリル用リモコン７Ｂにも、複数のガス調理器本体Ｈのそれぞれに設定されたＩＤコードに対応するＩＤコード（ガス調理器本体Ｈに設定されたＩＤコードと同じＩＤコード）が設定されている。
【００９１】
そして、ガス調理器本体Ｈが備える制御部１００が、コンロ用リモコン７Ａ、グリル用リモコン７Ｂとの無線通信において、通信データにこのＩＤコードを含めて送信するように構成されている。
【００９２】
そして、コンロ用リモコン７Ａ、グリル用リモコン７Ｂが、受信した通信データに当該リモコン７Ａ、７Ｂに対応するＩＤコードが含まれるとき、通信データを当該リモコン７Ａ、７Ｂに対応する制御部１００からの通信データとして受信するように構成されている。
【００９３】
この実施形態にかかるガス調理器（ガスコンロ）１は上述のように構成されているので、複数のガス調理器１が設置されている場合にも、コンロ用リモコン７Ａ、グリル用リモコン７Ｂが、それらに対応するガス調理器本体Ｈの制御部１００以外の制御部と無線通信を行うことによる誤動作（すなわち、対応するガス調理器本体Ｈの制御部１００以外の制御部から送信される通信データによって誤動作）することを防止できる。
【００９４】
また、この実施形態にかかるガス調理器１においては、ＩＤコードがガス調理器本体Ｈの制御部１００に格納されているとともに、ガス調理器本体Ｈには、ＩＤコードを制御部１００からコンロ用リモコン７Ａに転送するためのＩＤコード転送手段１１０Ａ、グリル用リモコン７Ｂに転送するためのＩＤコード転送手段１１０Ｂが配設されている（図５、図６、図７）。
すなわち、制御部１００が、ＩＤコード転送手段１１０Ａ、１１０Ｂによって、ＩＤコードをコンロ用リモコン７Ａ、グリル用リモコン７Ｂに転送することができるように構成されている。
【００９５】
この実施形態のガス調理器１はこのように構成されているので、メンテナンスなどにより、ガス調理器本体Ｈの制御部１００、あるいは、コンロ用リモコン７Ａ、グリル用リモコン７Ｂを取り換えることが必要になった場合に、制御部１００とコンロ用リモコン７Ａ、グリル用リモコン７Ｂを同じＩＤコードによって対応付けることができる。
【００９６】
＜リモコンの電源について＞
次に、コンロ用リモコン７Ａおよびグリル用リモコン７Ｂの電源について説明する。
【００９７】
この実施形態にかかるガス調理器本体Ｈが備えるコンロ用リモコン７Ａ、グリル用リモコン７Ｂは、以下に説明するようなバッテリー（図示せず）を電源としている。
【００９８】
また、ガス調理器本体Ｈは、図５、図６に示すように、コンロ用リモコン７Ａを収容、保持するリモコンホルダ７５Ａと、グリル用リモコン７Ｂを収容、保持するリモコンホルダ７５Ｂとを備えているとともに、交番磁界を発生させる交番磁界発生部（一次巻線）７０Ａ、７０Ｂを備えている。
なお、交番磁界発生部（一次巻線）７０Ａは、コンロ用リモコン７Ａを収容、保持するリモコンホルダ７５Ａに近接して配設されており、交番磁界発生部（一次巻線）７０Ｂは、グリル用リモコンホルダ７５Ｂに近接して配設されている。
【００９９】
また、コンロ用リモコン７Ａには二次巻線８０Ａが設けられており、グリル用リモコン７Ｂには二次巻線８０Ｂが設けられている。
【０１００】
そして、コンロ用リモコン７Ａがリモコンホルダ７５Ａ内の所定位置に収容、保持され、グリル用リモコン７Ｂがリモコンホルダ７０Ｂ内の所定位置に収容、保持された状態において、コンロ用リモコン７Ａが備える二次巻線８０Ａが一次巻線７０Ａにより発生した交番磁界によって交流電圧を発生させるとともに、グリル用リモコン７Ｂが備える二次巻線８０Ｂが、一次巻線７０Ｂにより発生した交番磁界によって交流電圧を発生させるように構成されている。
【０１０１】
そして、コンロ用リモコン７Ａ、グリル用リモコン７Ｂは、二次巻線８０Ａ、８０Ｂに発生した交流電圧を直流電圧に変換して直流電圧を発生させる直流電圧発生部と、直流電圧発生部で発生した直流により充電されるバッテリー（図示せず）を備えている。
【０１０２】
このように構成することにより、コンロ用リモコン７Ａ、グリル用リモコン７Ｂが備えるバッテリーを、上述の直流電圧発生部で発生した直流によって充電することが可能になる。
【０１０３】
＜ＩＤコード転送手段について＞
上述のように、この実施形態にかかるガス調理器１は、制御部１００に格納されているＩＤコードをコンロ用リモコン７Ａに転送するＩＤコード転送手段１１０Ａ、グリル用リモコン７Ｂに転送するＩＤコード転送手段１１０Ｂを備えている。
【０１０４】
そして、この実施形態では、交番磁界発生部（一次巻線）７０Ａ、７０Ｂ、コンロ用リモコン７Ａ、グリル用リモコン７Ｂが備える二次巻線８０Ａ、８０Ｂなどから、上述のＩＤコード転送手段１１０Ａ、１１０Ｂが構成されている。
【０１０５】
そして、この実施形態にかかるガス調理器（ガスコンロ）１においては、
（ａ）交番磁界発生部（一次巻線）７０Ａに重畳されたＩＤコードが、コンロ用リモコン７Ａにおいて、二次巻線８０Ａに発生した交流電圧に重畳される形態で、ガス調理器本体Ｈの制御部１００からコンロ用リモコン７Ａに転送され、
（ｂ）交番磁界発生部（一次巻線）７０Ｂに重畳されたＩＤコードが、グリル用リモコン７Ｂにおいて、二次巻線８０Ｂに発生した交流電圧に重畳される形態で、ガス調理器本体Ｈの制御部１００からグリル用リモコン７Ｂに転送されるように構成されている。
【０１０６】
このように、制御部１００に格納されているＩＤコードが、コンロ用リモコン７Ａ、グリル用リモコン７Ｂにおいて、それぞれの二次巻線８０Ａ、８０Ｂに発生した交流電圧に重畳される形態で、ガス調理器本体Ｈの制御部１００からコンロ用リモコン７Ａ、グリル用リモコン７Ｂに転送されるように構成した場合、コンロ用リモコン７Ａ、グリル用リモコン７Ｂの電源となるバッテリーを充電する際や、ガス調理器本体Ｈの制御部１００からコンロ用リモコン７Ａ、グリル用リモコン７ＢにＩＤコードを転送するときに、電線による制御部１００とコンロ用リモコン７Ａ、グリル用リモコン７Ｂとの接続が不要になり、構成を簡略化することが可能になるとともに、接続不良や接点の接触不良などを引き起こすことがなく、信頼性が高く、使い勝手の良好なガス調理器（ガスコンロ）を実現することが可能になる。
【０１０７】
なお、本発明において、制御部１００とコンロ用リモコン７Ａおよびグリル用リモコン７Ｂとの間で行われる無線通信の方式としては、周知の種々の通信方式が採用可能であり、詳細な説明は省略する。
【０１０８】
［別実施形態］
また、本発明のガス調理器（ガスコンロ）においては、図７に示すように、コンロ用リモコン７Ａと、グリル用リモコン７Ｂのそれぞれに、磁石９０（９０ａ、９０ｂ）を配設し、コンロ用リモコン７Ａと、グリル用リモコン７Ｂがリモコンホルダ７５Ａ、７５Ｂ内において位置ずれすることなく、確実に所定の位置に保持されるように構成することができる。
【０１０９】
このように構成することで、コンロ用リモコン７Ａと、グリル用リモコン７Ｂの電源となるバッテリーの充電をより確実に行うことが可能になり、ＩＤコードの送受信などの動作を適正に行わせることが可能な、信頼性の高いガス調理器を提供できるようになる。
【０１１０】
なお、この場合、磁石９０（９０ａ、９０ｂ）を、二次巻線８０Ａ、８０Ｂから離隔することで、一次巻線７０Ａ、７０Ｂと、二次巻線８０Ａ、８０Ｂとの電磁的な結合に悪影響を及ぼすことを回避することができる。
【０１１１】
また、本発明のガス調理器においては、ガス調理器本体Ｈに対して「所定の操作」を行った時点で、コンロ用リモコン７Ａと、グリル用リモコン７Ｂが音による報知を行うように構成することができる。
【０１１２】
なお、上記「所定の操作」としては、ガスバーナによる加熱開始のための「点消火スイッチ１４ａ、点消火スイッチ１４ｃの操作、グリルバーナを点火／消火するための点消火ボタン１４ｂの操作、この報知専用に設けた報知用スイッチ（図示せず）の操作、などが例示されるが、上記「所定の操作」に特別の制約はない。
【０１１３】
上述のように、ガス調理器本体Ｈに対して「所定の操作」を行った時点で、コンロ用リモコン７Ａ、グリル用リモコン７Ｂが音による報知を行うように構成した場合、コンロ用リモコン７Ａ、グリル用リモコン７Ｂをどこかに置き忘れた場合などに、ガス調理器本体Ｈに対して所定の操作を行うことで、コンロ用リモコン７Ａ、グリル用リモコン７Ｂに音による報知を行わせてコンロ用リモコン７Ａ、グリル用リモコン７Ｂの存在場所を知らせることができるので、使い勝手を向上させることができる。
【０１１４】
なお、上記実施形態では、コンロ用リモコン７Ａと、グリル用リモコン７Ｂの２つのリモコンを備えた構成としているが、一つのリモコンが、コンロ用の調理条件を設定・表示する調理設定表示部と、グリル用の調理条件を設定・表示する調理設定表示部とを備えるように構成すること、すなわち、１つのリモコンが、コンロ用リモコン７Ａと、グリル用リモコン７Ｂを兼ねるように構成することも可能である。
【０１１５】
なお、上記実施形態では、ガス調理器として、グリルを備えたガスコンロを示したが、グリルを備えていないガスコンロにも本発明を適用することが可能である。
【０１１６】
さらに、本発明は、ビルトイン型ではなく卓上設置型のテーブルコンロにも適用することが可能である。
【０１１７】
また、本発明は、ガスコンロを備えていないグリルにも適用することが可能である。
【０１１８】
本発明は、さらにその他の点においても上記実施形態に限定されるものではなく、本発明の範囲内において種々の変形を加えることが可能である。
【符号の説明】
【０１１９】
１        ガスコンロ
２        加熱部
２ａ      コンロ部
２ｂ      グリル部
６        ガス弁ブロック（ガス量調節部）
７        コンロ用の調理設定部
７Ａ      コンロ用リモコン
７Ｂ      グリル用リモコン
１１      トッププレート
１２      前面部
１３      電池ケース
１４（１４ａ、１４ｂ、１４ｃ）    点消火ボタン（加熱／停止手動操作部）
１５      火力調節レバー
２１      五徳
２３      点火装置
２４      点火検知装置
２５      容器検知手段
２６      温度センサ
２８      グリル扉
３１      コンロバーナ（ガスバーナ）
５０Ｓ    コンロ用リモコンの無線通信部
５１      コンロ用リモコンの報知部
６１ｃ    大火用の流路
６１ｄ    小火用の流路
６２      安全弁
６３      メイン弁
６５      流量制御弁
６６      スライダ
６７      バルブロッド
７０Ａ、７０Ｂ      交番磁界発生部（一次巻線）
７１      オートメニュー設定部
７２      オートメニュー表示部
７３      タイマ入力部
７４      タイマ表示部
７５Ａ    コンロ用リモコンを収容するリモコンホルダ
７５Ｂ    グリル用リモコンを収容するリモコンホルダ
８０Ａ、８０Ｂ      二次巻線
９０（９０ａ、９０ｂ）    磁石
９３      グリル用の調理設定部
１００    制御部
１１０Ａ、１１０Ｂ    ＩＤコード転送手段
１５０Ｓ  グリル用リモコンの無線通信部
１５１    グリル用リモコンの報知部
２００Ｓ  無線通信部
ＬＢ１、ＬＢ２  ラッチ式電磁弁
【図１】
2018185058.tif 000003
【図２Ａ】
2018185058.tif 000004
【図２Ｂ】
2018185058.tif 000005
【図３Ａ】
2018185058.tif 000006
【図３Ｂ】
2018185058.tif 000007
【図３Ｃ】
2018185058.tif 000008
【図４Ａ】
2018185058.tif 000009
【図４Ｂ】
2018185058.tif 000010
【図５】
2018185058.tif 000011
【図６】
2018185058.tif 000012
【図７】
2018185058.tif 000013
【手続補正書】
【提出日】平成29年5月23日(2017.5.23)
【手続補正１】
【補正対象書類名】明細書
【補正対象項目名】０００８
【補正方法】変更
【補正の内容】
【０００８】
上記の目的を達成するために、本発明のガス調理器は、
ガス調理器本体と、
前記ガス調理器本体に配設された、調理物を加熱するガスバーナと、
前記ガスバーナの点消火を行う加熱／停止手動操作部と、
前記ガスバーナによる加熱を制御するとともに、前記ガスバーナによる調理の終了時に前記ガスバーナによる加熱を停止する自動調理を実行する制御部と、
前記自動調理における調理条件を設定し、表示する調理設定部と
を備えたガス調理器であって、
前記制御部との間で通信データの送受信のための無線通信を行うリモコンを備え、
前記リモコンが、前記調理条件の少なくとも一部を設定し、表示するように構成されていること
を特徴としている。
【手続補正２】
【補正対象書類名】明細書
【補正対象項目名】０１００
【補正方法】変更
【補正の内容】
【０１００】
そして、コンロ用リモコン７Ａがリモコンホルダ７５Ａ内の所定位置に収容、保持され、グリル用リモコン７Ｂがリモコンホルダ７５Ｂ内の所定位置に収容、保持された状態において、コンロ用リモコン７Ａが備える二次巻線８０Ａが一次巻線７０Ａにより発生した交番磁界によって交流電圧を発生させるとともに、グリル用リモコン７Ｂが備える二次巻線８０Ｂが、一次巻線７０Ｂにより発生した交番磁界によって交流電圧を発生させるように構成されている。
【手続補正３】
【補正対象書類名】明細書
【補正対象項目名】０１１４
【補正方法】変更
【補正の内容】
【０１１４】
なお、上記実施形態では、コンロ用リモコン７Ａと、グリル用リモコン７Ｂの２つのリモコンを備えた構成としているが、一つのリモコンが、コンロ用の調理条件を設定・表示する調理設定部と、グリル用の調理条件を設定・表示する調理設定部とを備えるように構成すること、すなわち、１つのリモコンが、コンロ用リモコン７Ａと、グリル用リモコン７Ｂを兼ねるように構成することも可能である。
【手続補正４】
【補正対象書類名】特許請求の範囲
【補正対象項目名】全文
【補正方法】変更
【補正の内容】
【特許請求の範囲】
【請求項１】
ガス調理器本体と、
前記ガス調理器本体に配設された、調理物を加熱するガスバーナと、
前記ガスバーナの点消火を行う加熱／停止手動操作部と、
前記ガスバーナによる加熱を制御するとともに、前記ガスバーナによる調理の終了時に前記ガスバーナによる加熱を停止する自動調理を実行する制御部と、
前記自動調理における調理条件を設定し、表示する調理設定部と
を備えたガス調理器であって、
前記制御部との間で通信データの送受信のための無線通信を行うリモコンを備え、
前記リモコンが、前記調理条件の少なくとも一部を設定し、表示するように構成されていること
を特徴とするガス調理器。
【請求項２】
前記自動調理が終了した時点で、前記制御部が前記リモコンに対し、前記無線通信によって、前記通信データとして自動調理終了信号を送信するように構成され、
前記リモコンが、前記自動調理終了信号を受信したときに前記自動調理が終了した旨の報知を行う報知部を備えていること
を特徴とする請求項１記載のガス調理器。
【請求項３】
該ガス調理器が複数存在している場合において、複数のガス調理器のそれぞれに異なるＩＤコードが設定されており、
前記リモコンが、前記無線通信において、前記通信データに前記ＩＤコードを含めて前記無線通信により前記制御部への送信を行うように構成され、
前記制御部が、受信した前記通信データの中に前記ＩＤコードが含まれるとき、前記通信データを当該制御部に対応するリモコンからの通信データとして受信するとともに、
前記制御部が、前記無線通信において、前記通信データに前記ＩＤコードを含めて前記無線通信により前記リモコンへの送信を行うように構成されており、
前記リモコンが、受信した前記通信データの中に前記ＩＤコードが含まれるとき、前記通信データを当該リモコンに対応するガス調理器の制御部からの通信データとして受信するように構成されていること
を特徴とする請求項１または２記載のガス調理器。
【請求項４】
前記ガス調理器本体がＩＤコード転送手段を備えているとともに、前記ＩＤコードが前記制御部に格納されており、
前記制御部が、前記ＩＤコード転送手段によって、前記ＩＤコードを前記リモコンに転送するように構成されていること
を特徴とする請求項３記載のガス調理器。
【請求項５】
前記ガス調理器本体が、交番磁界を発生させる交番磁界発生部を備え、
前記リモコンが、電源としてのバッテリーと、前記交番磁界によって発生した交流電圧を直流電圧に変換して直流電圧を発生させる直流電圧発生部とを備え、
前記バッテリーが、前記直流電圧発生部で発生した直流電圧によって充電され、かつ、
前記交番磁界発生部に重畳された前記ＩＤコードが、前記交流電圧に重畳される形態で前記リモコンに転送されるように構成されていること
を特徴とする請求項４記載のガス調理器。
【請求項６】
前記ガス調理器本体に対して所定の操作を行ったときに、前記リモコンが音による報知を行うように構成されていることを特徴とする請求項１〜５のいずれかに記載のガス調理器。